(57)【要約】【課題】  視認状態の自由度を向上させ、複数の表示手段のうち所望のものを所望の向きに向けることが可能であることにより、視認状態の自由度の高い携帯情報端末を提供する。【解決手段】  携帯電話機１はメインディスプレイ２１を有する第１の筐体２と、サブディスプレイ３１を有する第２の筐体３と、第３の筐体４とを備えている。各筐体は第１の筐体２、第２の筐体３、第３の筐体４の順に配列されている。第１の筐体２と第２の筐体３とは第１の回転ヒンジ５により、第２の筐体３と第３の筐体４とは第２の回転ヒンジ６により、それぞれ他の筐体に対して配列の方向を軸として相対的に回転可能となるように連結されている。【選択図】        図１
2006246336.tif 000002
【特許請求の範囲】
【請求項１】
第１の表示手段を有する第１の筐体と、
第２の表示手段を有する第２の筐体と、
第３の筐体とを備え、
前記各筐体は任意の順に配列され、
前記各筐体はそれぞれ他の前記筐体に対して前記配列の方向を軸として相対的に回転可能となるように連結されていることを特徴とする、携帯情報端末。
【請求項２】
前記筐体の前記回転を感知する感知手段と、
前記感知手段からの前記筐体の回転を示す情報に基づき、前記第１の表示手段および前記第２の表示手段のうち少なくとも一方について表示状態と非表示状態とを切り替える切替手段とをさらに備える、請求項１に記載の携帯情報端末。
【請求項３】
前記配列の軸を屈曲する向きに折り畳み可能に構成されている、請求項１または２に記載の携帯情報端末。
【請求項４】
前記切替手段は、前記携帯情報端末が折り畳まれている場合には、前記第１の表示手段および前記第２の表示手段のうち視認可能な向きに向けられている表示手段のみを表示状態にするように切り替える機能を有する、請求項３に記載の携帯情報端末。
【請求項５】
前記携帯情報端末は数字を入力するためのテンキーを有するテンキー操作部をさらに備え、
前記切替手段は、前記第１の表示手段および前記第２の表示手段のうち前記配列の軸から見て前記テンキー操作部を有する面と反対側に向けられている表示手段を非表示状態にするように切り替える機能を有する、請求項２〜４のいずれかに記載の携帯情報端末。
【請求項６】
テレビ放送を受信可能な受信手段をさらに備える、請求項１〜５のいずれかに記載の携帯情報端末。
【請求項７】
前記受信手段は地上波デジタル放送を受信可能である、請求項６に記載の携帯情報端末。
【請求項８】
前記第１の表示手段は前記地上波デジタル放送の映像情報を表示可能に構成され、
前記第２の表示手段は前記地上波デジタル放送の文字情報を表示可能に構成されている、請求項７に記載の携帯情報端末。
【発明の詳細な説明】
【技術分野】
【０００１】
本発明は、携帯情報端末に関し、より特定的には、複数の表示手段を備えた携帯情報端末に関するものである。
【背景技術】
【０００２】
近年の情報通信技術の著しい発展により、携帯情報端末においてもテレビ電話、地上波デジタル放送、インターネットなどの様々な媒体を通じて情報を取得することが可能となっている。また、これらの媒体は複数同時に利用することも可能であり、さらに地上波デジタル放送の映像情報および文字情報等のように複数の情報を含んでいるものもある。
【０００３】
このような状況のもと、多くの情報の中から必要なものを、場合によっては複数同時に、かつ容易に取得可能な携帯情報端末が求められている。また、携帯情報端末においては、上述の情報取得のほか、カメラ機能やオーディオ機能などを有するものもあり、消費される電力量も大きくなる傾向にある。そのため、省電力化も携帯情報端末における重要な課題となっている。
【０００４】
従来の携帯情報端末、たとえば従来の携帯電話機においては、２つの筐体が折り畳み可能に連結された折り畳み式のものが多く使用されている。このような折り畳み式携帯電話機においては一般的に、一方の筐体の一方の面にメインディスプレイを備え、他方の面にサブディスプレイを備えており、メインディスプレイを内側にして折り畳み可能に構成されている。そして、折り畳むことでメインディスプレイが非表示状態となるように構成されている場合が多い。
【０００５】
また、他の携帯情報端末としては、２つの筐体がほぼ３６０度回転可能な折り畳み機構により連結された携帯データ処理装置が提案されている。これにより、ディスプレイを内側にしても外側にしても折り畳むことが可能となる。その結果、操作性が向上する（たとえば特許文献１参照）。
【０００６】
また、他の携帯情報端末としては、筐体の結合部に操作部または表示部を形成した折り畳み式の携帯端末機が提案されている。これにより、筐体に新たな突出部を形成することなく、折り畳んだ状態で操作が可能な携帯端末機を得ることができる（たとえば特許文献２参照）。
【０００７】
また、他の携帯情報端末としては、３つの筐体からなり、かつ表示部を有する２つの筐体をそれぞれの表示部が向き合わないように折り畳み可能に連結した携帯端末が提案されている。これにより、複数の画面を効率よく表示させることができる（たとえば特許文献３参照）。
【０００８】
また、他の携帯情報端末としては、テレビ電話と、インターネット接続を含むメニュー操作とを同時に表示できる主表示部と副表示部とを備えた携帯電話が提案されている。これにより、テレビ電話を利用しながら画面を切り替えることなくインターネット接続が可能となる（たとえば特許文献４参照）。
【０００９】
また、他の携帯情報端末としては、２つの筐体からなる折り畳み式携帯無線機において、２つの筐体の開閉に対応して反射面の向きが切り替わるミラーを、表示デバイスを有する筐体内に備え、表示デバイスの情報を２つの筐体を閉じた状態では外側に、開いた状態では内側に反射して表示するものが提案されている。これにより、１つの表示デバイスにより、２つの筐体の開閉に対応させて外側への表示と内側への表示とを切り替えることができる（たとえば特許文献５参照）。
【特許文献１】特開２００１−１９７１７６号公報
【特許文献２】特開２００２−１６６８５号公報
【特許文献３】特開２００３−１９８６８５号公報
【特許文献４】特開２００３−２０４３７８号公報
【特許文献５】特開２００３−３１９０４０号公報
【発明の開示】
【発明が解決しようとする課題】
【００１０】
しかし、上述した従来の携帯情報端末では折り畳み式の筐体の開閉により、そこに配置された表示手段、操作部等の向きが変えられるものであるため、携帯情報端末の持ち方を固定した場合、たとえば入力のために操作部を操作者の方に向けた場合、表示手段の向きはそれにより制約を受ける。したがって、携帯情報端末における視認状態（複数の表示手段のうちどの表示手段がどの向きから視認可能となっているか）の自由度が十分高いとはいえなかった。
【００１１】
そこで、本発明の目的は、視認状態の自由度を向上させ、複数の表示手段のうち所望のものを所望の向きに向けることが可能であることにより、視認状態の自由度の高い携帯情報端末を提供することである。
【課題を解決するための手段】
【００１２】
本発明に従った携帯情報端末は、第１の表示手段を有する第１の筐体と、第２の表示手段を有する第２の筐体と、第３の筐体とを備えている。各筐体は任意の順に配列され、各筐体はそれぞれ他の筐体に対して配列の方向を軸として相対的に回転可能となるように連結されている。
【００１３】
本発明の携帯情報端末によれば、表示手段の配置された各筐体が他の筐体に対して独立に回転可能であるため、複数の表示手段のうち所望のものを所望の向きに向けることが可能である。したがって、視認状態の自由度の高い携帯情報端末を提供することが可能となる。
【００１４】
上記携帯情報端末において好ましくは、筐体の回転を感知する感知手段と、感知手段からの筐体の回転を示す情報に基づき、第１の表示手段および第２の表示手段のうち少なくとも一方について表示状態と非表示状態とを切り替える切替手段とをさらに備えている。
【００１５】
これにより、筐体の回転と連動させて表示手段を表示状態から非表示状態に、または非表示状態から表示状態に切り替えることができる。その結果、操作者は筐体を回転させるという簡易な操作により、表示手段の表示および非表示を切り替えることが可能となる。
【００１６】
上記携帯情報端末において好ましくは、配列の軸を屈曲する向きに折り畳み可能に構成されている。これにより、折り畳むことで外形がコンパクトになり、携帯に有利となる。
【００１７】
上記携帯情報端末において好ましくは、切替手段は、携帯情報端末が折り畳まれている場合には、第１の表示手段および第２の表示手段のうち視認可能な向きに向けられている表示手段のみを表示状態にするように切り替える機能を有している。
【００１８】
これにより、所望の表示手段のみ視認可能な向きに向けて表示状態とし、その他の表示手段は表示手段の傷の発生を防止する等の目的で、内側にして折り畳んでおくことができる。また、視認不要な表示手段を非表示状態にすることで、省電力化を図ることができる。
【００１９】
上記携帯情報端末において、携帯情報端末は数字を入力するためのテンキーを有するテンキー操作部をさらに備えることができる。切替手段は、第１の表示手段および第２の表示手段のうち配列の軸から見てテンキー操作部を有する面と反対側に向けられている表示手段を非表示状態にするように切り替える機能を有することができる。
【００２０】
これにより、数字の入力が容易になる。また、所望の表示手段のみ配列の軸から見てテンキー操作部を有する面と反対側に向けないようにして表示状態とし、その他の表示手段は配列の軸から見てテンキー操作部を有する面と反対側に向けることにより、所望の表示手段のみを表示状態にすることができる。また、視認不要な表示手段を非表示状態にすることで、省電力化を図ることができる。
【００２１】
上記携帯情報端末において好ましくは、テレビ放送を受信可能な受信手段をさらに備えている。これにより、テレビ放送を受信し、表示手段に受信した映像等を表示することが可能となる。
【００２２】
上記携帯情報端末において好ましくは、受信手段は地上波デジタル放送を受信可能である。これにより、情報量が豊富な地上波デジタル放送を受信し、表示手段に受信した映像等を表示することが可能となる。
【００２３】
上記携帯情報端末において好ましくは、第１の表示手段は地上波デジタル放送の映像情報を表示可能に構成され、第２の表示手段は地上波デジタル放送の文字情報を表示可能に構成されている。
【００２４】
これにより、地上波デジタル放送に含まれる映像情報と文字情報とをそれぞれ別の表示手段に表示することができる。その結果、必要な情報が表示された表示手段のみを視認可能な向きに向けることで、必要な情報のみ視聴することができる。
【発明の効果】
【００２５】
以上の説明から明らかなように、本発明の携帯情報端末によれば、表示手段の配置された各筐体が他の筐体に対して独立に回転可能であるため、複数の表示手段のうち所望のものを所望の向きに向けることが可能である。その結果、視認状態の自由度の高い携帯情報端末を提供することができる。
【発明を実施するための最良の形態】
【００２６】
以下、図面に基づいて本発明の実施の形態を説明する。なお、以下の図面において同一または相当する部分には同一の参照番号を付しその説明は繰返さない。
【００２７】
（実施の形態１）
図１は本発明の一実施の形態である実施の形態１の携帯情報端末としての携帯電話機を示す概略斜視図である。図１を参照して、本発明の実施の形態１の携帯電話機の構成を説明する。
【００２８】
図１を参照して、実施の形態１の携帯電話機１は、第１の筐体２と、第２の筐体３と、第３の筐体４とを備えている。第１の筐体２は、第１の表示手段としてのメインディスプレイ２１と、受話用レシーバ２２と、アンテナ２３とを含んでいる。第２の筐体３は第２の表示手段としてのサブディスプレイ３１を含んでいる。第３の筐体４は、操作キー４１と、送話用マイク４２とを含んでいる。さらに、第３の筐体４には操作キー４１のうち、主に数字を入力するためのテンキーが集合したテンキー操作部４０が形成されている。
【００２９】
第１の筐体２、第２の筐体３および第３の筐体４は第１の筐体２、第２の筐体３および第３の筐体４の順に一列に配列されている。第１の筐体２と第２の筐体３とは第１の回転ヒンジ５を介して配列の方向を軸として相対的に回転可能に連結されている。第２の筐体３と第３の筐体４とは第２の回転ヒンジ６を介して配列の方向を軸として相対的に回転可能に連結されている。
【００３０】
さらに、携帯電話機１は各筐体の相対的回転を感知する感知手段（図示しない）と、感知手段からの筐体の回転を示す情報に基づき、メインディスプレイ２１およびサブディスプレイ３１について表示状態と非表示状態とを切り替える切替手段とをさらに備えている。具体的には、感知手段として、たとえば第１の回転ヒンジ５に第１の筐体２のメインディスプレイ２１の表面を含む面と第２の筐体３のサブディスプレイ３１の表面を含む面とのなす角度を感知するセンサ（図示しない）を備えることができる。同様に、たとえば第２の回転ヒンジ６に第２の筐体３のサブディスプレイ３１の表面を含む面と第３の筐体４のテンキー操作部４０の表面を含む面とのなす角度を感知するセンサ（図示しない）を備えることができる。切替手段は、たとえば、上述のセンサからの情報に基づいてメインディスプレイ２１およびサブディスプレイ３１のうち筐体の配列の軸から見て第３の筐体４のテンキー操作部４０を有する面と反対側に向けられているディスプレイを非表示状態にするように切り替える機能を有する回路により構成することができる。
【００３１】
さらに、携帯電話機１は地上波デジタル放送を含むテレビ放送を受信可能な受信手段を備えている。具体的には、携帯電話機１は地上波デジタル放送を含むテレビ放送に対応可能な同調器（チューナー）（図示しない）およびアンテナ２３を備えるように構成することができる。
【００３２】
さらに、携帯電話機１はメインディスプレイ２１には地上波デジタル放送の映像情報を表示可能に構成され、サブディスプレイ３１には地上波デジタル放送の文字情報を表示可能に構成されている。
【００３３】
次に、実施の形態１における携帯電話機１の使用態様について説明する。図２および図３は、実施の形態１の携帯電話機１の使用態様を示す概略斜視図である。図１〜図３を参照して、携帯電話機１の使用態様について説明する。
【００３４】
図１は実施の形態１における携帯電話機１の一使用態様として、第１の筐体２のメインディスプレイ２１が第３の筐体４のテンキー操作部４０と同じ側に向けられ、かつ第２の筐体３のサブディスプレイ３１も第３の筐体４のテンキー操作部４０と同じ側に向けられた状態を示している。この図１の状態では、メインディスプレイ２１およびサブディスプレイ３１はいずれも筐体の配列の軸から見て第３の筐体４のテンキー操作部４０を有する面と反対側に向けられていないので、いずれも表示状態となっている。たとえば、地上波デジタル放送を受信している場合、メインディスプレイ２１に映像情報を表示しつつ、サブディスプレイ３１には文字情報を表示することができる。また、たとえばメインディスプレイ２１にテレビ電話の映像を表示しつつ、サブディスプレイ３１には地上波デジタル放送の文字情報を表示することができる。また、たとえば、インターネット接続を行なっている場合、メインディスプレイ２１にインターネット上のホームページを表示しつつ、サブディスプレイ３１にバッテリーの残量、新着電子メール有無、時刻等を表示することができる。このように、図１の状態は複数の情報を同時に表示したい場合に有利な使用態様である。
【００３５】
図２は実施の形態１における携帯電話機１の他の使用態様として、第１の筐体２のメインディスプレイ２１が第３の筐体４のテンキー操作部４０と同じ側に向けられ、かつ第２の筐体３のサブディスプレイ３１は第３の筐体４のテンキー操作部４０と反対側に向けられた状態を示している。この図２の状態では、メインディスプレイ２１のみが筐体の配列の軸から見て第３の筐体４のテンキー操作部４０を有する面と反対側に向けられていないので、メインディスプレイ２１のみが表示状態となっている。メインディスプレイ２１には、たとえば地上波デジタル放送の映像情報、テレビ電話の映像、メニュー画面などを表示することができる。このように、サブディスプレイ３１を非表示状態とすることで省電力化を図ることが可能であり、図２の状態は表示したい内容がメインディスプレイ２１のみで十分表示できる場合に有利な使用態様である。
【００３６】
図３は実施の形態１における携帯電話機１の他の使用態様として、第１の筐体２のメインディスプレイ２１が第３の筐体４のテンキー操作部４０と反対側に向けられ、かつ第２の筐体３のサブディスプレイ３１は第３の筐体４のテンキー操作部４０と同じ側に向けられた状態を示している。この図３の状態では、サブディスプレイ３１のみが筐体の配列の軸から見て第３の筐体４のテンキー操作部４０を有する面と反対側に向けられていないので、サブディスプレイ３１のみが表示状態となっている。サブディスプレイ３１には、たとえば地上波デジタル放送の文字情報、バッテリーの残量、新着電子メール有無、時刻などを表示することができる。このように、サブディスプレイ３１に比べて消費電力量の大きいメインディスプレイ２１を非表示状態とすることで省電力化を図ることが可能である。したがって、図３の状態は表示したい内容がサブディスプレイ３１のみで十分表示できる場合に有利な使用態様である。
【００３７】
さらに、図示しないが、実施の形態１のおける携帯電話機１の他の使用態様として、第１の筐体２のメインディスプレイ２１が第３の筐体４のテンキー操作部４０と反対側に向けられ、かつ第２の筐体３のサブディスプレイ３１も第３の筐体４のテンキー操作部４０と反対側に向けられた状態とすることもできる。この状態では、メインディスプレイ２１およびサブディスプレイ３１はいずれも筐体の配列の軸から見て第３の筐体４のテンキー操作部４０を有する面と反対側に向けられているので、いずれも非表示状態となっている。したがって、メインディスプレイ２１とサブディスプレイ３１との両方を非表示状態とすることで省電力化を図ることが可能である。
【００３８】
（実施の形態２）
図４は本発明の一実施の形態である実施の形態２の携帯情報端末としての携帯電話機を示す概略斜視図である。図４を参照して、本発明の実施の形態２の携帯電話機の構成を説明する。
【００３９】
図４を参照して、実施の形態２の携帯電話機１は基本的には図１に示した実施の形態１の携帯電話機１と同様の構成を有している。しかし、実施の形態２の携帯電話機１は、第２の筐体３と第３の筐体４とを折り畳み可能に連結する折り畳みヒンジ７を備えている点で実施の形態１の携帯電話機１とは異なっている。すなわち、携帯電話機１は筐体の配列の軸を屈曲する向きに折り畳み可能に構成されている。さらに、切替手段は、携帯電話機１が折り畳まれている場合には、メインディスプレイ２１およびサブディスプレイ３１のうち視認可能な向きに向けられているディスプレイのみを表示状態にするように切り替える機能を有している。具体的には、感知手段として、実施の形態１の感知手段に加えて、たとえば折り畳みヒンジ７に折り畳み状態を感知するセンサを備えることができる。さらに切替手段として、たとえば、上述のセンサからの情報に基づいてメインディスプレイ２１およびサブディスプレイ３１のうち視認可能な向きに向けられているディスプレイのみを表示状態にするように切り替える機能を有する回路を備えることができる。
【００４０】
次に、携帯電話機１の使用態様について説明する。図５〜図１０は、実施の形態２の携帯電話機１の使用態様を示す概略斜視図である。図４〜図１０を参照して、実施の形態２における携帯電話機１の使用態様について説明する。
【００４１】
図４〜図６は実施の形態２のおける携帯電話機１を展開した状態を示している。図４は実施の形態２における携帯電話機１の一使用態様として、第１の筐体２のメインディスプレイ２１が第３の筐体４のテンキー操作部４０と同じ側に向けられ、かつ第２の筐体３のサブディスプレイ３１も第３の筐体４のテンキー操作部４０と同じ側に向けられた状態を示している。この図４の状態では、実施の形態１の図１の状態と同様に、メインディスプレイ２１およびサブディスプレイ３１はいずれも筐体の配列の軸から見て第３の筐体４のテンキー操作部４０を有する面と反対側に向けられていないので、いずれも表示状態となっている。したがって、図４の状態は図１の状態と同様に、複数の情報を同時に表示したい場合に有利な使用態様である。
【００４２】
図５は実施の形態２における携帯電話機１の他の使用態様として、第１の筐体２のメインディスプレイ２１が第３の筐体４のテンキー操作部４０と同じ側に向けられ、かつ第２の筐体３のサブディスプレイ３１は第３の筐体４のテンキー操作部４０と反対側に向けられた状態を示している。この図５の状態では、実施の形態１の図２の状態と同様に、メインディスプレイ２１のみが筐体の配列の軸から見て第３の筐体４のテンキー操作部４０を有する面と反対側に向けられていないので、メインディスプレイ２１のみが表示状態となっている。したがって、図５の状態は図２の状態と同様に、表示したい内容がメインディスプレイ２１のみで十分表示できる場合に有利な使用態様である。
【００４３】
図６は実施の形態１における携帯電話機１の他の使用態様として、第１の筐体２のメインディスプレイ２１が第３の筐体４のテンキー操作部４０と反対側に向けられ、かつ第２の筐体３のサブディスプレイ３１は第３の筐体４のテンキー操作部４０と同じ側に向けられた状態を示している。この図６の状態では、実施の形態１の図３の状態と同様に、サブディスプレイ３１のみが筐体の配列の軸から見て第３の筐体４のテンキー操作部４０を有する面と反対側に向けられていないので、サブディスプレイ３１のみが表示状態となっている。したがって、図６の状態は図３の状態と同様に、表示したい内容がサブディスプレイ３１のみで十分表示できる場合に有利な使用態様である。
【００４４】
図７〜図１０は実施の形態２のおける携帯電話機１を折り畳んだ状態を示している。この図７〜図１０の状態では、携帯電話機１がコンパクトになる点で図４〜図６の状態に比べて有利である。
【００４５】
図７は実施の形態２における携帯電話機１の他の使用態様として、第１の筐体２のメインディスプレイ２１が視認可能な向きに向けられ、かつ第２の筐体３のサブディスプレイ３１も視認可能な向きに向けられて折り畳まれた状態を示している。この図７の状態では、メインディスプレイ２１およびサブディスプレイ３１はいずれも視認可能な向きに向けられているので、いずれも表示状態となっている。したがって、図７の状態は図１および図４の状態と同様に複数の情報を同時に表示したい場合に有利な使用態様である。
【００４６】
図８は実施の形態２における携帯電話機１の他の使用態様として、第１の筐体２のメインディスプレイ２１が視認可能な向きに向けられ、かつ第２の筐体３のサブディスプレイ３１は視認不可能な向きに向けられて折り畳まれた状態を示している。この図８の状態では、メインディスプレイ２１のみが視認可能な向きに向けられているので、メインディスプレイ２１のみが表示状態となっている。したがって、図８の状態は図２および図５の状態と同様に表示したい内容がメインディスプレイ２１のみで十分表示できる場合に有利な使用態様である。
【００４７】
図９は実施の形態２における携帯電話機１の他の使用態様として、第１の筐体２のメインディスプレイ２１が視認不可能な向きに向けられ、かつ第２の筐体３のサブディスプレイ３１は視認可能な向きに向けられて折り畳まれた状態を示している。この図９の状態では、サブディスプレイ３１のみが視認可能な向きに向けられているので、サブディスプレイ３１のみが表示状態となっている。したがって、図９の状態は図３および図６の状態と同様に表示したい内容がサブディスプレイ３１のみで十分表示できる場合に有利な使用態様である。
【００４８】
図１０は実施の形態２のおける携帯電話機１の他の使用態様として、第１の筐体２のメインディスプレイ２１が視認不可能な向きに向けられ、かつ第２の筐体３のサブディスプレイ３１も視認不可能な向きに向けられて折り畳まれた状態を示している。この図１０の状態では、メインディスプレイ２１およびサブディスプレイ３１はいずれも視認不可能な向きに向けられているので、いずれも非表示状態となっている。したがって、メインディスプレイ２１およびサブディスプレイ３１を非表示状態とすることで省電力化を図ることが可能である。
【００４９】
なお、本実施の形態においては、携帯情報端末の一例として携帯電話機について説明したが、本発明の携帯情報端末はこれに限定されるものではなく、ＰＤＡ（personal data assistant）、ノート型パーソナルコンピュータ、通信可能なデジタルカメラなどであってもよい。
【００５０】
今回開示された実施の形態はすべての点で例示であって、制限的なものではないと考えられるべきである。本発明の範囲は上記した説明ではなくて特許請求の範囲によって示され、特許請求の範囲と均等の意味、および範囲内でのすべての変更が含まれることが意図される。
【産業上の利用可能性】
【００５１】
本発明の携帯情報端末は、複数の表示手段を備えた携帯情報端末に特に有利に適用することができる。
【図面の簡単な説明】
【００５２】
【図１】実施の形態１の携帯情報端末としての携帯電話機を示す概略斜視図である。
【図２】実施の形態１の携帯電話機１の使用態様を示す概略斜視図である。
【図３】実施の形態１の携帯電話機１の使用態様を示す概略斜視図である。
【図４】実施の形態２の携帯情報端末としての携帯電話機を示す概略斜視図である。
【図５】実施の形態２の携帯電話機１の使用態様を示す概略斜視図である。
【図６】実施の形態２の携帯電話機１の使用態様を示す概略斜視図である。
【図７】実施の形態２の携帯電話機１の使用態様を示す概略斜視図である。
【図８】実施の形態２の携帯電話機１の使用態様を示す概略斜視図である。
【図９】実施の形態２の携帯電話機１の使用態様を示す概略斜視図である。
【図１０】実施の形態２の携帯電話機１の使用態様を示す概略斜視図である。
【符号の説明】
【００５３】
１  携帯電話機、２  第１の筐体、３  第２の筐体、４  第３の筐体、５  第１の回転ヒンジ、６  第２の回転ヒンジ、７  折り畳みヒンジ、２１  メインディスプレイ、２２  受話用レシーバ、２３  アンテナ、３１  サブディスプレイ、４０  テンキー操作部、４１  操作キー、４２  送話用マイク。
【図１】
2006246336.tif 000003
【図２】
2006246336.tif 000004
【図３】
2006246336.tif 000005
【図４】
2006246336.tif 000006
【図５】
2006246336.tif 000007
【図６】
2006246336.tif 000008
【図７】
2006246336.tif 000009
【図８】
2006246336.tif 000010
【図９】
2006246336.tif 000011
【図１０】
2006246336.tif 000012